(57)【特許請求の範囲】
【請求項１】
照明装置であり、
ソケットとの接続のための口金と、
流体封止され、閉じられた第１空間であって、前記第１空間内に熱伝導流体を含む第１空間の境界を少なくとも部分的に定める少なくとも部分的に光透過性の第１面構造部であって、前記口金に取り付けられる第１面構造部と、
前記口金を通して前記照明装置の外部に流体接続される少なくとも１つの第２空間を少なくとも部分的に規定する少なくとも部分的に光透過性の少なくとも１つの第２面構造部であって、前記第１面構造部及び前記口金内に完全に収容される少なくとも１つの第２面構造部とを有する照明装置であって、
前記少なくとも１つの第２面構造部が、閉じられた第１端部と、前記口金に隣接する反対側の第２端部とを有し、前記第２端部が、前記口金を通して前記照明装置の外部に前記第２空間を流体結合し、
前記少なくとも１つの第２面構造部が、前記第２空間と前記第１空間との間の熱伝導インターフェースを有し、前記熱伝導インターフェースが、発せられる光の少なくとも一部が、前記少なくとも１つの第２面構造部を通過し、その後、前記第１面構造部を通過するように、光を発するよう構成され、前記第２空間内に配設される少なくとも１つの発光素子に結合され、
前記第２空間内に配設される前記少なくとも１つの発光素子が、前記照明装置を囲む流体と接触する照明装置。
【請求項２】
前記第２空間が、少なくとも２つの出入口によって前記口金を通して前記照明装置の外部に流体接続される請求項１に記載の照明装置。
【請求項３】
前記第２空間の少なくとも一部が、実質的に前記照明装置の長手方向軸に沿って延在する請求項２に記載の照明装置。
【請求項４】
前記長手方向軸が、前記照明装置の回転対称軸である請求項３に記載の照明装置。
【請求項５】
別々に構成される少なくとも２つの第２空間の境界を少なくとも部分的に定める別々に構成される少なくとも部分的に光透過性の少なくとも２つの第２面構造部を有し、前記第２面構造部の各々が、前記第１面構造部によって囲まれ、前記第２空間の各々が、前記口金を通して前記照明装置の外部に流体接続される請求項１に記載の照明装置。
【請求項６】
前記第１面構造部が、前記第１空間と前記照明装置の外部との間の境界面を規定する外側光透過性エンクロージャを有する請求項１に記載の照明装置。
【請求項７】
前記第１面構造部が、電球状又は管状である請求項１に記載の照明装置。
【請求項８】
前記第１面構造部が、少なくとも１つの光散乱素子であって、前記少なくとも１つの光散乱素子に入射する光を散乱させるよう構成される少なくとも１つの光散乱素子を有する請求項６に記載の照明装置。
【請求項９】
前記少なくとも１つの第２面構造部が、前記少なくとも１つの第２空間と前記第１空間との間の境界面を規定する内側光透過性エンクロージャを有する請求項１に記載の照明装置。
【請求項１０】
前記少なくとも１つの第２面構造部が、電球状又は管状である請求項１に記載の照明装置。
【請求項１１】
前記少なくとも１つの第２面構造部が、少なくとも１つの光散乱素子であって、前記少なくとも１つの光散乱素子に入射する光を散乱させるよう構成される少なくとも１つの光散乱素子を有する請求項１に記載の照明装置。
【請求項１２】
前記少なくとも１つの第２面構造部が、少なくとも１つの波長変換素子であって、前記少なくとも１つの波長変換素子に入射する光の波長を変えるよう構成される少なくとも１つの波長変換素子を有する請求項１に記載の照明装置。
【請求項１３】
前記第１空間内の前記熱伝導流体が、ヘリウム及び／又は水素を含むガスを有する請求項１に記載の照明装置。
【請求項１４】
前記熱伝導インターフェースが、前記少なくとも１つの発光素子を支持するよう構成される少なくとも１つの担体を有する請求項１に記載の照明装置。
【請求項１５】
前記第１空間と流体連結する流体通路を更に有し、前記流体通路が、前記第１空間と熱伝導流体の供給源を選択的に流体接続するよう構成される流体入口を含む請求項１に記載の照明装置。
【請求項１６】
前記少なくとも１つの第２空間が、前記口金だけに配置される１つ以上の出入口を介して前記照明装置の外部に流体接続される請求項１に記載の照明装置。
【発明の詳細な説明】
【技術分野】
【０００１】
本発明は、広くは、照明器具及び照明装置の分野に関する。詳細には、本発明は、流体封止され、閉じられた空間であって、前記空間内に熱伝導流体を含む空間の境界を少なくとも部分的に定める少なくとも部分的に光透過性の第１面構造部を有する照明装置に関する。
【背景技術】
【０００２】
照明目的のための発光ダイオード（ＬＥＤ）の使用は、注目をひき続けている。白熱灯、蛍光灯、ネオン管ランプなどと比べて、ＬＥＤは、より長い動作寿命、電力消費量の低減、光エネルギと熱エネルギとの間の割合に関する効率の増大などのような数多くの利点を供給する。ＬＥＤベース光源などの固体ベース光源は、白熱光源と比べて異なる光学特性を持ち得る。詳細には、固体ベース光源は、白熱光源と比べて、より指向性の光分布及びより高い（即ち、より冷たい）色温度を供給し得る。それ故、例えば、光分布及び／又は色温度に関して、固体ベース照明装置に、従来の白熱照明装置を模倣させる又は従来の白熱照明装置と似させるための努力がなされている。一般に「レトロフィットランプ」と呼ばれるＬＥＤをベースにした電球照明装置においては、これらのＬＥＤランプは、多くの場合、従来の白熱電球の外観を持ち、従来のソケットに取り付けられるなどといったように設計されることから、発光フィラメントワイヤが１つ以上のＬＥＤに置き換えられる。電球内の雰囲気は、一般に、空気である。しかしながら、ＬＥＤの冷却が、ＬＥＤベースのレトロフィットランプにおいて問題を引き起こす。ＬＥＤの過熱は、ＬＥＤの寿命の減少、光出力の減少又は故障をもたらし得る。
【発明の概要】
【発明が解決しようとする課題】
【０００３】
ＬＥＤ電球内のＬＥＤの冷却を促進する又は冷却度を上げるために、前記ＬＥＤ電球内の前記ＬＥＤが熱伝導流体又はガス、例えば、ヘリウム又は水素を含むガスの雰囲気中に配設されるように、前記ＬＥＤ電球に、熱伝導流体若しくはガス、又は幾つかの熱伝導流体又はガスの混合物が充填され得る。熱伝導流体又はガスの雰囲気であって、前記雰囲気内に前記ＬＥＤが配設される雰囲気によって、使用中に前記ＬＥＤにより生成される熱は、前記ＬＥＤから離れたところに、例えば、前記熱が前記ＬＥＤ電球の周囲に移され得る又は放散され得る前記ＬＥＤ電球のドームに移され得る。前記ＬＥＤから離れたところへの熱輸送は、前記ＬＥＤ電球に空気が充填される場合と比べて、ずっと効率的である。しかしながら、ヘリウムガスなどの熱伝導流体又はガスの雰囲気中に位置するＬＥＤは、相対的に急速に経年変化するおそれがあり、それによって、前記ＬＥＤの発光機能及び／又は能力は、相対的に急速に低下するおそれがあり、これは、例えば、前記ＬＥＤによって出力される光の明るさ及び／又は強度の相対的に急速な減少をもたらし得る。
【０００４】
本発明の関心事は、上記のことを考慮して、使用中に照明装置内のＬＥＤなどの発光素子によって生成される熱を移動させるために熱伝導流体又はガスを使用する照明装置であり、ＬＥＤ電球内のＬＥＤが熱伝導流体又はガスの雰囲気中に配設されるように熱伝導流体又はガスが充填されるＬＥＤ電球と比べて前記発光素子のより長い寿命を可能にする照明装置を提供することである。
【課題を解決するための手段】
【０００５】
この関心事及び他の関心事のうちの少なくとも１つに対処するため、独立請求項に従う照明装置が提供される。好ましい実施例は、従属請求項によって規定される。  
【０００６】
第１の態様によれば、流体封止され、閉じられた第１空間を少なくとも部分的に規定する又は前記第１空間の境界を少なくとも部分的に定める少なくとも部分的に光透過性の第１面構造部を有する照明装置が提供される。前記第１空間は、前記第１空間内に熱伝導流体を含む。前記照明装置は、前記照明装置の外部に流体接続される少なくとも１つの第２空間を少なくとも部分的に規定する又は前記少なくとも１つの第２空間の境界を少なくと部分的に定める少なくとも部分的に光透過性の少なくとも１つの第２面構造部を有する。前記少なくとも１つの第２面構造部は、前記第１面構造部によって部分的に囲まれる。前記少なくとも１つの第２面構造部は、前記第２空間と前記第１空間との間の熱伝導インターフェースを有する。前記熱伝導インターフェースは、発せられる光の少なくとも一部が、前記少なくとも１つの第２面構造部を通過し、その後、前記第１面構造部を通過するように、光を発するよう構成され、前記第２空間内に配設される少なくとも１つの発光素子に結合される。
【０００７】
前記第１空間及び／又は前記第２空間は、例えば、１つ以上の開いた空隙又は空洞を含んでもよく、又はそれらによって構成されてもよい。
【０００８】
前記第１面構造部及び／又は前記少なくとも１つの第２面構造部は、例えば、透明若しくは半透明であってもよく、又は透明である少なくとも１つの部分と、半透明である少なくとも１つの部分とを含んでもよい。
【０００９】
例えば、使用中に前記少なくとも１つの発光素子によって生成され得る熱は、前記第２空間と前記第１空間との間の前記熱伝導インターフェースによって、前記第１空間に含まれる前記熱伝導流体に移され得る。次いで、前記熱は、前記第１空間内に含まれる前記熱伝導流体によって、前記少なくとも１つの発光素子からより遠く離れたところに運ばれ得る。本発明の１つ以上の実施例によれば、前記第１面構造部は、例えば、前記第１空間と前記照明装置の外部との間の境界面を規定する外側光透過性エンクロージャ又はドームを含み得る。その場合、前記熱は、前記第１空間内に含まれる前記熱伝導流体によって、前記少なくとも１つの発光素子から、前記熱が前記照明装置の周囲又は外部に放散され得る前記外側光透過性エンクロージャ又はドームへ遠ざけられ得る。
【００１０】
本発明の１つ以上の実施例によれば、例えば、ヘリウム及び／又は水素を含むガスを含み得る前記熱伝導流体は、流体封止され、閉じられた空間内にあることから、前記少なくとも１つの発光素子は、前記熱伝導流体に全く又は少ししかさらされないだろう。ＬＥＤなどの発光素子は、ヘリウム含有ガスなどの熱伝導流体にさらされるときに相対的に急速に経年変化するおそれがあることから、前記第１の態様による照明装置内の前記少なくとも１つの発光素子の寿命は、前記少なくとも１つの発光素子が絶えず前記熱伝導流体にさらされるように配設される場合と比べて、増加され得る。それによって、前記少なくとも１つの発光素子の発光機能及び／又は能力は、前記少なくとも１つの発光素子が絶えず前記熱伝導流体にさらされるように配設される場合と比べて、相対的に長い期間にわたって維持され得る。
【００１１】
本願との関連においては、流体封止された空間とは、空間であって、実質的に、前記空間と前記空間の周囲との間の流体の交換なしに、（例えば、前記照明装置の寿命と比べて）かなりの期間にわたって流体を前記空間内に維持することができるように、前記空間の周囲に対して封止されている空間を意味する。好ましくは、前記空間は、前記空間と前記空間の周囲との間の流体の交換が、全く又はほんの少ししか生じないだろうように、前記空間の周囲に対して封止される。このような流体封止された空間を供給するための手段それ自体は、当業界において知られている。
【００１２】
前記第２面構造部によって少なくとも部分的に規定される又は境界を定められる前記少なくとも１つの第２空間は、前記照明装置の外部に流体接続される。前記少なくとも１つの第２空間は、例えば、開口端又は開口部によって、前記照明装置の外部に流体接続され得る。それによって、前記第２空間内に配設される前記少なくとも１つの発光素子は、前記照明装置の周囲の流体、例えば、空気などのガスと接触し得る。
【００１３】
前記第２空間は、少なくとも２つの出入口によって前記照明装置の外部に流体接続され得る。本願との関連においては、出入口とは、流体の（前記第２空間への）取り入れ又は（前記第２空間からの）排出のための入口又は出口、例えば、開口部を意味する。
【００１４】
本発明の１つ以上の実施例によれば、前記第２空間の少なくとも一部が、実質的に前記照明装置の長手方向軸に沿って延在し得る。例によれば、実質的に前記第２空間の全体が、実質的に前記照明装置の長手方向軸に沿って延在し得る。前記長手方向軸は、例えば、前記照明装置の回転対称軸であり得る。
【００１５】
本発明の１つ以上の実施例によれば、前記照明装置は、別々に構成される少なくとも２つの第２空間の境界を少なくとも部分的に定める別々に構成される少なくとも部分的に光透過性の少なくとも２つの第２面構造部を含み得る。前記第２面構造部の各々が、前記第１面構造部によって囲まれ得る。前記第２空間の各々が、前記照明装置の外部に流体接続され得る。前記第２空間のうちの１つは、実質的に全体として、実質的に前記照明装置の前記長手方向軸に沿って延在し得る。
【００１６】
前記第１面構造部は、例えば、前記第１空間と前記照明装置の外部との間の境界面を規定する外側光透過性エンクロージャを含み得る、又は前記外側光透過性エンクロージャによって構成され得る。
【００１７】
前記第１面構造部及び／又は前記外側光透過性エンクロージャは、透明若しくは半透明であり得る光透過性材料を含んでもよく、又は透明である少なくとも１つの部分と、半透明である少なくとも１つの部分とを含んでもよい。
【００１８】
前記第１面構造部及び／又は前記外側光透過性エンクロージャは、例えば、少なくとも部分的に、ガラス、例えば、溶融石英ガラス（石英ガラス）、ソーダ石灰シリカガラス（窓ガラス）、硼珪酸ナトリウムガラス（パイレックス）、酸化鉛ガラス（クリスタル・ガラス）、アルミノ珪酸ガラス、又は酸化物ガラスで作成され得る。変形例においては又は更に、前記第１面構造部及び／又は前記外側光透過性エンクロージャは、少なくとも部分的に、サファイア、及び／又は透明な若しくは半透明のセラミックで作成され得る。
【００１９】
前記第１面構造部及び／又は前記外側光透過性エンクロージャは、原則的には、如何なる形をしていてもよい。例によれば、前記第１面構造部及び／又は前記外側光透過性エンクロージャは、電球状又は管状であってもよい。
【００２０】
前記第１面構造部は、少なくとも１つの光散乱素子であって、前記少なくとも１つの光散乱素子に入射する光を散乱させるよう構成される少なくとも１つの光散乱素子を含み得る。前記少なくとも１つの光散乱素子によって、前記照明装置から出力される光は、より均一になり得る。光散乱効果は、審美的目的ためには（例えば、観察者にきらきら光る効果を供給するためには）望ましいだろう。
【００２１】
前記少なくとも１つの第２面構造部は、例えば、前記少なくとも１つの第２空間と前記第１空間との間の境界面を規定する内側光透過性エンクロージャを含み得る。
【００２２】
前記少なくとも１つの第２面構造部及び／又は前記内側光透過性エンクロージャは、透明若しくは半透明であり得る光透過性材料を含んでもよく、又は透明である少なくとも１つの部分と、半透明である少なくとも１つの部分とを含んでもよい。
【００２３】
前記少なくとも１つの第２面構造部及び／又は前記内側光透過性エンクロージャは、例えば、少なくとも部分的に、ガラス、例えば、溶融石英ガラス（石英ガラス）、ソーダ石灰シリカガラス（窓ガラス）、硼珪酸ナトリウムガラス（パイレックス（登録商標））、酸化鉛ガラス（クリスタル・ガラス）、アルミノ珪酸ガラス、又は酸化物ガラスで作成され得る。変形例においては又は更に、前記少なくとも１つの第２面構造部及び／又は前記内側光透過性エンクロージャは、少なくとも部分的に、サファイア、及び／又は透明な若しくは半透明のセラミックで作成されてもよく、又はセラミックリングのようなセラミックの部分又は部位を含んでもよい。
【００２４】
前記少なくとも１つの第２面構造部及び／又は前記内側光透過性エンクロージャは、原則的には、如何なる形をしていてもよい。例によれば、前記少なくとも１つの第２面構造部及び／又は前記内側光透過性エンクロージャは、電球状又は管状であってもよい。
【００２５】
前記少なくとも１つの第２面構造部は、少なくとも１つの光散乱素子であって、前記少なくとも１つの光散乱素子に入射する光を散乱させるよう構成される少なくとも１つの光散乱素子を含み得る。前記少なくとも１つの光散乱素子は、例えば、前記少なくとも１つの第２面構造部に埋め込まれる又は組み込まれる光散乱粒子を含み得る。変形例においては又は更に、前記少なくとも１つの光散乱素子は、前記少なくとも１つの第２面構造部の内面及び／又は外面上にAl2O3、BaSO4及び／又はTiO2などの材料の層又はコーティングを有してもよく、且つ／又は前記少なくとも１つの第２面構造部の内面及び／又は外面が、粗い構造を持っていてもよい。
【００２６】
変形例においては又は更に、前記少なくとも１つの第２面構造部は、少なくとも１つの波長変換素子であって、前記少なくとも１つの波長変換素子に入射する光の波長を変えるよう構成される少なくとも１つの波長変換素子を含み得る。前記少なくとも１つの波長変換素子は、例えば、前記少なくとも１つの第２面構造部の内面及び／若しくは外面上の蛍光体の層若しくはコーティング、又は前記少なくとも１つの第２面構造部の内面及び／若しくは外面上の別の波長変換材料、例えば、量子閉じ込め構造、ランタニド錯体、希土類金属元素及び蛍光体のグループ内の１つ以上の素子から選択されるルミネセンス材料の層若しくはコーティングを有してもよい。
【００２７】
上記において述べたように、前記第１空間内の前記熱伝導流体は、例えば、ヘリウム及び／又は水素を含むガスを含み得る。しかしながら、他のタイプの熱伝導流体も考えられる。
【００２８】
前記第２空間と前記第１空間との間の前記熱伝導インターフェースは、例えば、前記少なくとも１つの発光素子を支持するよう構成される少なくとも１つの担体を含み得る。前記担体は、例えば、少なくとも１つのプリント回路基板（ＰＣＢ）及び／又はフォイルを含み得る。前記担体は、少なくとも部分的に可撓性であり得る（即ち、前記担体の少なくとも１つ又は複数の部分が、可撓性であってもよい）。例えば、前記担体は、可撓性ＰＣＢ及び／又は可撓性フォイルを含み得る。前記担体は、使用中に前記少なくとも１つの発光素子により生成される熱を、前記少なくとも１つの発光素子から離れたところに移動させるよう構成され得る。従って、前記担体は、熱伝達能力及び／又は機能を呈するように構成され得る。
【００２９】
本発明の１つ以上の実施例によれば、前記照明装置は、前記第１空間と流体連結する流体通路を含み得る。前記流体通路は、熱伝導流体を熱伝導流体の供給源から前記第１空間内へ送るために、前記第１空間と前記供給源を選択的に流体接続するよう構成される流体入口を含み得る。前記流体入口は、例えば、バルブを含み得る。前記第１空間と熱伝導流体の供給源を選択的に流体接続するよう構成される流体入口を含む流体通路は、前記熱伝導流体の供給源から前記第１空間に熱伝導流体が（再）充填されることを可能にする。
【００３０】
前記少なくとも１つの発光素子は、例えば、固体発光体を含み得る、又は固体発光体によって構成され得る。固体発光体の例は、ＬＥＤ、ＯＬＥＤ及びレーザーダイオードを含む。固体発光体は、相対的にコスト効率の高い光源である。なぜなら、それらは、相対的に安価であり、相対的に高い光学的効率及び相対的に長い寿命を持つからである。しかしながら、本願との関連においては、「発光素子」という用語は、例えば、それの両端に電位差を加える又はそれに電流を流すことによって作動されるときに、いずれかの電磁スペクトル領域又は電磁スペクトル領域の組み合わせ、例えば、可視領域、赤外線領域及び／又は紫外線領域において放射線を発することが可能である実質的にあらゆるデバイス又は素子を意味すると理解されるべきである。それ故、発光素子は、単色、準単色、多色又は広帯域スペクトルの発光特性を持ち得る。発光素子の例は、半導体、有機若しくはポリマ／高分子ＬＥＤ、青紫色ＬＥＤ、青色ＬＥＤ、光励起蛍光体被覆ＬＥＤ、光励起ナノ結晶ＬＥＤ、又は当業者には容易に理解されるだろうあらゆる他の同様のデバイスを含む。更に、発光素子という用語は、本発明の１つ以上の実施例によれば、ハウジング又はパッケージであって、１つ又は複数の特定の発光素子が前記ハウジング又はパッケージ内に配置又は配設されるハウジング又はパッケージとの組み合わせにおいて前記放射線を発する特定の発光素子又は発光素子の組み合わせを意味し得る。発光素子という用語は、例えば、ＬＥＤパッケージと呼ばれ得る、ハウジング内に配設された裸ＬＥＤチップを含み得る。
【００３１】
以下においては、例示実施例を用いて、本発明の他の目的及び利点を説明する。本発明は、請求項において列挙されている特徴の全てのあり得る組み合わせに関することに注意されたい。本発明の他の特徴及び利点は、本願明細書の記載及び添付の請求項を研究すれば、明らかになるだろう。当業者は、本発明の様々な特徴は、本願明細書に記載されている実施例以外の実施例を作成するよう組み合わされ得ることを理解している。
【図面の簡単な説明】
【００３２】
以下、添付図面を参照して、本発明の例示実施例を説明する。
【図１】本発明の実施例による照明装置の概略的な側断面図である。
【図２】本発明の実施例による照明装置の概略的な側断面図である。
【図３】本発明の実施例による照明装置の概略的な側断面図である。
【図４】本発明の実施例による照明装置の概略的な側断面図である。
【図５】本発明の実施例による照明装置の概略的な側断面図である。
【図６】本発明の実施例による照明装置の概略的な側断面図である。
【図７】本発明の実施例による照明装置の概略的な側断面図である。
【図８】本発明の実施例による照明装置の概略的な斜視図である。
【図９】本発明の実施例による照明装置の概略的な斜視図である。
【図１０】本発明の実施例による第２面構造部の概略的な側断面図である。
【図１１】本発明の実施例による第２面構造部の概略的な側断面図である。
【００３３】
図は、全て概略的なものであり、必ずしも縮尺通りではなく、たいてい、本発明の実施例を説明するために必要であるパーツしか示しておらず、他のパーツは、省かれ得る又は単に示唆され得る。
【発明を実施するための形態】
【００３４】
ここで、本発明の例示実施例が示されている添付図面を参照して、本発明を以下に説明する。しかしながら、本発明は、多くの異なる形態で実施されることができ、本願明細書に記載されている実施例に限定されると解釈されるべきではない。もっと正確に言えば、これらの実施例は、この開示が本発明の範囲を当業者に伝えるだろうように、一例として与えられている。
【００３５】
図面において、同じ参照符号は、特に別途明記しない限り、同じ又は同様の機能を持つ同じ又は同様の構成要素を示す。
【００３６】
図１は、本発明の実施例による照明装置１００の概略的な側断面図である。
【００３７】
照明装置１００は、流体封止され、閉じられた第１空間１２０の境界を少なくとも部分的に定める少なくとも部分的に光透過性の第１面構造部１１０を有し、第１空間１２０は、第１空間内１２０に熱伝導流体を含む。図１において図示されている本発明の実施例によれば、第１面構造部１１０は、電球の形をしている外側光透過性エンクロージャを有する。他の形状の第１面構造部１１０及び／又は外側光透過性エンクロージャもあり得る。
【００３８】
第１空間１２０内に含まれる熱伝導流体は、例えば、ヘリウム及び／又は水素を含むガスを含み得る。
【００３９】
更に、図１において図示されている本発明の実施例によれば、照明装置１００は、（図１には示されていない）ランプ又は照明器具ソケットとの接続のための口金１３０を含み得る。口金１３０は、任意の適切なタイプのカプラ又はコネクタ、例えば、エジソンねじ込み口金、バヨネット取り付け具、又は特定のタイプのランプ又は照明器具に適切であり得る任意の他のタイプの接続部を含み得る、又はそれらによって構成され得る。
【００４０】
照明装置１００は、第２空間１５０を部分的に規定する少なくとも部分的に光透過性の第２面構造部１４０を有し、第２空間１５０は、照明装置１００の外部に流体接続される。第２空間１５０は、例えば、図１において矢印によって示されているように、例えば、口金１３０に位置し得る（図１には示されていない）開口端又は開口部によって、照明装置１００の外部に流体接続され得る。変形例においては又は更に、第２空間１５０は、流体の第２空間１５０への取り入れ又は第２空間１５０からの排出のための（図１には示されていない）１つ以上の出入口又は開口部によって照明装置１００の外部に流体接続され得る。このような出入口又は開口部は、例えば、口金１３０、又は照明装置１００のどこか他の適切な部分若しくは部位に配設され得る、又は位置し得る。
【００４１】
図１において図示されている本発明の実施例によれば、第２表面構造部１４０は、管状の形をしている内側光透過性エンクロージャを有する。しかしながら、他の形状の第２面構造部１４０及び／又は内側光透過性エンクロージャもあり得る。
【００４２】
第２面構造部１４０は、第２空間１５０と第１空間１２０との間の熱伝導インターフェース１６０を有する。熱伝導インターフェース１６０は、各々の発光素子１７０によって発せられる光の少なくとも一部が第２面構造部１４０を通過するように、第２空間１５０内に配設され、光を発するよう構成される発光素子１７０に結合される。前記光は、その後、第１面構造部１１０を通過し得る。図１において図示されている本発明の実施例によれば、熱伝導インターフェース１６０は、発光素子１７０が結合又は接続される２つの担体１６２、１６４を有する。更に、図１において図示されている本発明の実施例によれば、熱伝導インターフェース１６０は、図１において図示されているように、第１面構造部１１０又は外側光透過性エンクロージャによって囲まれる第２面構造部１４０又は内側光透過性エンクロージャの一部の内面と２つの担体１６２、１６４とを含む。図１において図示されているように、発光素子１７０は、第２面構造部１４０又は内側光透過性エンクロージャの内面、及び担体１６２、１６４（のうちの１つ）に接続又は結合され得る。発光素子１７０は、例えば、図１に示されているように、発光素子のストリングとして構成されてもよく、図１によれば、発光素子１７０は、発光素子の２つのストリングとして構成される。図１において図示されている本発明の実施例による発光素子１７０は、発光素子の２つのストリングとして構成されているが、発光素子１７０は、例えば、発光素子の単一のストリングとして構成され得る（例えば、図２参照）。
【００４３】
担体１６２、１６４の各々は、例えば、ＰＣＢ及び／又はフォイル、例えば、可撓性ＰＣＢ又は所謂フレックスフォイルを含み得る。担体１６２、１６４の各々は、例えば使用中に発光素子１７０によって生成される熱を、発光素子１７０から離れたところに移動させるよう構成されることができ、従って、熱伝達能力及び／又は機能を呈するように構成され得る。
【００４４】
発光素子１７０は、例えば、発光素子１７０のストリップ又はストリングとして構成され得る。発光素子１７０のうちのいずれか１つは、例えば、無機ＬＥＤ又は有機ＬＥＤ（ＯＬＥＤ）などであるが、これらに限定されない固体発光体を含み得る、又は前記固体発光体によって構成され得る。
【００４５】
図１（並びに図２乃至７、１０及び１１）に示されているように、発光素子１７０は、例えば、発光素子の１つ以上のストリングとして構成されることができ、複数の前記ストリング（又は１つの前記ストリング）は、照明装置１００の長手方向軸（図１には示されていない、図６参照）と平行な又は実質的に平行な方向に延在する。発光素子１７０のこのような構成は、一例によるものであり、変形例があり得ることは理解されたい。例えば、発光素子１７０は、別の例によれば、発光素子の１つ以上のストリングであって、複数の前記ストリング（又は１つの前記ストリング）が、照明装置１００の長手方向軸に対して垂直な又は実質的に垂直な面内に延在する発光素子の１つ以上のストリングとして構成され得る。例えば、第２面構造部１４０が、第２面構造部１４０が軸方向に沿ってほぼ円形の断面を持つような、管状、円柱状、円錐形などである形をしている場合には、発光素子１７０は、多くの異なる方向に光を発するように、発光素子の１つ以上のリング状ストリングとして構成され得る。
【００４６】
従って、第１空間１２０は、図１において図示されているように、第１面構造部１１０又は外側光透過性エンクロージャの内面と、第２面構造部１４０又は内側光透過性エンクロージャの外面との間に位置する空間であり得る、又は前記空間を含み得る。
【００４７】
第２空間１５０内に配設される発光素子１７０は、照明装置１００の外部に流体接続されている第２空間１５０を介して、照明装置１００の周囲の流体、例えば、空気などのガスとの接触（最大限の接触）をし得る。
【００４８】
当業界では知られているように、照明装置１００は、電源からの電気を、発光素子１７０を動作させる若しくは駆動する、且つ／又は照明装置１００に含まれ得るあらゆる他の電気素子に給電するのに適した電気に変換することが可能な回路を含み得る。図１には示されていないこのような回路は、少なくとも、交流と直流との間の変換をすること、及び電圧を、発光素子１７０を動作させる又は駆動するのに適した電圧に変換することが可能であり得る。このような回路は、ドライバなどの電子回路、コントローラ及び／又は電気を発光素子１７０に運ぶための配線、例えば、口金１３０から発光素子１７０まで延在する配線を含み得る。
【００４９】
図２乃至７は、図１に図示されている照明装置１００に類似している、本発明の実施例による照明装置１００の概略的な側断面図である。図面における同じ参照符号は、特に別途明記しない限り、同じ又は同様の機能を持つ同じ又は同様の構成要素を示している。図２乃至７においては、図１においては図示されている口金１３０が省かれている。しかしながら、図２乃至７に図示されている照明装置１００のいずれかは、図１を参照して説明した口金１３０と同様の又は同じ口金を含み得ることは理解されたい。
【００５０】
ここで図２を参照すると、熱伝導インターフェース１６０は、発光素子１７０を支持するよう構成される担体１６２を含み得る。図１において図示されている照明装置１００と比べると、発光素子１７０は、担体１６２によって支持され（且つ／又は場合により、担体１６２に結合若しくは接続され）、担体１６２は、第２面構造部１４０又は内側光透過性エンクロージャの内面に結合又は接続される。更に、既に上で示したように、発光素子１７０は、図１において図示されている照明装置１００の場合とは対照的に、発光素子の単一のストリングとして構成される。発光素子１７０が、図２において示されているように発光素子の単一のストリングとして構成され、実質的に一方向に光を発する場合には、例えば、第１面構造部１１０が、少なくとも部分的に半透明であってもよく、それによって、第１面構造部１１０に入射する（幾らかの）光は、第１空間１２０内へ後方反射され、その後、第１面構造部１１０の異なる位置において又は前記異なる位置を介して、照明装置１００を出ることができる。
【００５１】
図３は、図２において図示されているものと同様の照明装置１００を図示している。図２において図示されている照明装置１００と比べると、図３において図示されている照明装置１００は、発光素子１７０を支持するよう構成される（又は発光素子１７０が結合又は接続される）２つの担体１６２、１６４を、２つの担体１６２、１６４（及び各々の発光素子１７０）が管状第２面構造部１４０又は内側光透過性エンクロージャの内面上に互いの反対側に配設されている状態で有する。
【００５２】
ここで図４を参照すると、照明装置１００は、１つより多くの少なくとも部分的に光透過性の第２面構造部、及び１つより多くの第２空間を含み得る。図１乃至３において図示されている照明装置１００と比べると、図４において図示されている照明装置１００は、各々、別々に構成される２つの第２空間１５０、１５５を部分的に規定する、別々に構成される２つの少なくとも部分的に光透過性の第２面構造部１４０、１４５を有する。第２面構造部１４０、１４５の両方が、第１面構造部１１０によって部分的に囲まれる。第２空間１５０、１５５の各々が、照明装置１００の外部に流体接続される。しかしながら、本発明の１つ以上の実施例によれば、２つより多くの別々に構成される少なくとも部分的に光透過性の第２面構造部があってもよい。
【００５３】
ここで図５を参照すると、第２空間１５０は、流体の第２空間１５０への取り入れ又は第２空間１５０からの排出のための１つより多くの出入口又は開口部によって照明装置１００の外部に流体接続され得る。例えば、図５において図示されている本発明の実施例によれば、第２空間１５０は、各々、参照符号１５２及び１５４によって広く示されている２つの出入口によって、照明装置１００の外部に流体接続され得る。２つの出入口１５２、１５４は、例えば、照明装置１００の外部に対する開口部を介する、流体の第２空間１５０への取り入れ又は第２空間１５０からの排出のための入口及び出口を実現する。本発明の１つ以上の実施例によれば、流体の第２空間１５０への取り入れ又は第２空間１５０からの排出のための２つより多くの出入口又は開口部があってもよい。
【００５４】
図６は、図５において図示されている照明装置１００と同様に、流体の第２空間１５０への取り入れ又は第２空間１５０からの排出のための１つより多くの出入口又は開口部を持つ、２つの出入口１５２、１５４を備える本発明の実施例による照明装置１００を図示している。出入口１５４は、照明装置１００の頂部にある。図６において図示されている本発明の実施例によれば、第２面構造部１４０は、管状の形をしており、それによって、第２空間１５０も、管状であり、第２空間１５０の少なくとも一部は、照明装置１００の長手方向軸ＬＡに沿って延在する。図６において図示されているように、第２空間１５０は、実質的に照明装置１００の頂部から底部まで延在し得る。更に、図６において図示されている本発明の実施例によれば、長手方向軸ＬＡは、照明装置１００の回転対称軸であり得る。
【００５５】
ここで図７を参照すると、照明装置１００は、第１空間１２０と流体連結する流体通路１８０を含み得る。流体通路１８０は、第１空間１２０と（図７においては示されていない）熱伝導流体の供給源を選択的に流体接続するよう構成される（例えば、バルブを有する）流体入口１８２を含む。第１空間１２０及び流体入口１８２と流体連結している流体通路１８０を介して、熱伝導流体の供給源から第１空間１２０に熱伝導流体が（再）充填され得る。
【００５６】
図１乃至７において図示されている照明装置１００は、電球の形をしている第１面構造部１１０を含むことによって、電球状であるが、他の形状の第１面構造部１１０及び／又は外側光透過性エンクロージャもあり得る。各々が本発明の実施例による照明装置１００の一部を図示している図８及び９を参照されたい。図８及び９において図示されている本発明の実施例によれば、第１面構造部１１０は、管状である（図８及び９においては一部しか示されていない）外側光透過性エンクロージャを有する。更に、図８及び９において図示されている本発明の実施例によれば、第２面構造部１４０及び／又は内側光透過性エンクロージャも管状である。
【００５７】
更に、図８及び９を参照すると、第１面構造部１１０は、外側光透過性エンクロージャを有し、流体封止され、閉じられた第１空間１２０の境界を部分的に定め、前記第１空間１２０は、第１空間１２０内に熱伝導流体を含む。第２面構造部１４０は、（図８及び９においては一部しか示されていない）内側光透過性エンクロージャを有し、第２空間１５０を部分的に規定し、前記第２空間１５０は、照明装置１００の外部に流体接続される。
【００５８】
図８及び９において図示されている本発明の実施例によれば、照明装置１００は、発光素子１７０を支持するよう構成される担体１６２を有する熱伝導インターフェース１６０を有する。図８及び９においては、発光素子１７０のうちの幾つかだけが参照符号によって示されている。
【００５９】
図９において示されているように、担体１６２は、担体１６２と、第２面構造部１４０又は内側光透過性エンクロージャの内側又は内面との間の相対的大きい熱接触領域を供給するように構成され得る。
【００６０】
ここで図１０及び１１を参照すると、本発明の実施例による第２面構造部１４０（の一部）の概略的な側断面図が示されている。図１０及び１１において図示されている第２面構造部１４０の各々は、本願明細書に記載されている本発明の他の実施例のいずれかと共に用いられ得る。
【００６１】
図１０において図示されているように、第２面構造部１４０は、１つ以上の光散乱素子又は粒子１４６であって、前記１つ以上の光散乱素子又は粒子１４６に入射する光を散乱させるよう構成される１つ以上の光散乱素子又は粒子１４６を含み得る。光散乱素子又は粒子１４６は、当業界においては知られているようなものであり得る。図１０においては、光散乱素子又は粒子１４６のうちの幾つかだけが参照符号によって示されている。光散乱素子１４６は、図１０において図示されているように、第２面構造部１４０に埋め込まれていてもよく、又は組み込まれていてもよい。
【００６２】
図１１において図示されているように、第２面構造部１４０は、波長変換素子１４８であって、前記波長変換素子１４８に入射する光の波長を変えるよう構成される波長変換素子１４８を含み得る。図１１において図示されている本発明の実施例によれば、波長変換素子１４８は、第２面構造部１４０の内面上に波長変換材料の層又はコーティングを有する。変形例においては又は更に、第２面構造部１４０の外面上に波長変換材料の層又はコーティングがあってもよい。波長変換材料は、例えば、蛍光体、又は量子閉じ込め構造、ランタニド錯体及び希土類金属元素のグループ内の１つ以上の素子から選択されるルミネセンス材料を含み得る。
【００６３】
要するに、閉じられた又は境界を定められた第１空間であって、流体封止され、前記第１空間内に熱伝導流体を含む第１空間と、境界を定められた少なくとも１つの第２空間であって、前記第１空間によって部分的に囲まれ、前記照明装置の外部に流体接続される少なくとも１つの第２空間とを有する照明装置が開示されている。前記第２空間は、前記第１空間に対する熱伝導インターフェースを有する。前記熱伝導インターフェースは、発せられる光の少なくとも一部が前記第１空間内へ発せられるように、光を発するよう構成され、前記第２空間内に配設される少なくとも１つの発光素子に結合される。
【００６４】
添付図面及び上記の記載において本発明が説明されているが、このような説明は、説明的なもの又は例示的なものとみなされるべきであって、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。添付の請求項において、「有する」という用語は、他の要素又はステップを除外せず、単数形表記は、複数性を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
0006775509.tif 000002
【図２】
0006775509.tif 000003
【図３】
0006775509.tif 000004
【図４】
0006775509.tif 000005
【図５】
0006775509.tif 000006
【図６】
0006775509.tif 000007
【図７】
0006775509.tif 000008
【図８】
0006775509.tif 000009
【図９】
0006775509.tif 000010
【図１０】
0006775509.tif 000011
【図１１】
0006775509.tif 000012